(57)【要約】【課題】低コストにて、ボトルを保管する場所の有効利用を図ること。【解決手段】本発明のボトルラックは、２本の支柱が所定の間隔をあけて構成された枠体を一対備え、各枠体の各支柱を一端側の所定箇所で相互に近接させた状態で回動可能に軸支し、各枠体を構成する各支柱が相互に所定の角度を有して交差した状態となり、かつ、当該各支柱の他端側が相互に所定の距離だけ離れた状態で固定する固定部材を備え、各枠体を構成する各支柱の他端側に、同一の枠体を構成する他の支柱に向かって突出する突出部を備える。そして、固定部材にて各枠体を固定し、各支柱の他端を床面に配置することで、各突出部が床面から所定の距離だけ上方に位置し、当該各突出部に所定のボトルを載置可能なよう構成した。【選択図】図４
2016047072.tif 000002
【特許請求の範囲】
【請求項１】
所定の長さを有する２本の支柱が所定の間隔をあけて構成された枠体を一対備え、
一方の前記枠体の前記各支柱と他方の前記枠体の前記各支柱とを、当該各支柱の一端側の所定箇所で相互に近接させた状態で相互に回動可能に軸支し、
前記一方の枠体を構成する前記各支柱と前記他方の枠体を構成する前記各支柱とが相互に所定の角度を有して交差した状態となり、かつ、当該各支柱の他端側が相互に所定の距離だけ離れた状態で固定する固定部材を備え、
前記各枠体を構成する前記各支柱の、当該各支柱の他端から所定の距離だけ離れた当該他端側の所定箇所に、同一の前記枠体を構成する他の前記支柱に向かって突出する突出部を備え、
前記固定部材にて前記各枠体を固定し、当該各枠体を構成する前記各支柱の他端を床面に配置することで、前記各突出部が床面から所定の距離だけ上方に位置し、当該各突出部に所定のボトルを載置可能なよう構成した、
ボトルラック。
【請求項２】
請求項１に記載のボトルラックであって、
前記各枠体は、それぞれ当該枠体を構成する前記２本の支柱の各他端を連結する連結部を備え、
前記固定部材は、前記各枠体を構成する前記各連結部を相互に所定の距離だけ離れた状態で固定するよう構成されている、
ボトルラック。
【請求項３】
請求項１又は２に記載のボトルラックであって、
前記各枠体がそれぞれ備える前記突出部は、前記各枠体をそれぞれ構成する前記２本の支柱の間を連結して構成されている、
ボトルラック。
【請求項４】
請求項１乃至３のいずれかに記載のボトルラックであって、
床面に配置された前記一対の枠体がボトルラックの下段枠体ユニットを形成すると共に、当該下段枠体ユニットの上段に配置される上段枠体ユニットを備え、
前記上段枠体ユニットは、２本の支柱が所定の間隔をあけて構成された上段枠体を一対備え、一方の前記上段枠体の前記各支柱と、他方の前記上段枠体の前記各支柱とを、当該各支柱の一端側の所定箇所で相互に近接させた状態で相互に回動可能に軸支し、
前記各上段枠体を構成する前記各支柱の他端側の所定箇所を、それぞれ前記下段枠体ユニットの前記各枠体を構成する前記各支柱の各一端に近接させた状態で、前記上段枠体ユニットの前記各上段枠体を構成する前記各支柱と前記下段枠体ユニットの前記各枠体を構成する前記各支柱とが相互に回動可能なよう軸支して連結し、
前記上段枠体ユニットの前記各上段枠体を構成する前記各支柱の他端に、同一の前記上段枠体を構成する他の前記支柱に向かって突出するボトルを載置可能な上段突出部を備えた、
ボトルラック。
【請求項５】
請求項４に記載のボトルラックであって、
前記上段枠体ユニットを構成する前記各上段枠体がそれぞれ備える前記上段突出部は、前記各上段枠体をそれぞれ構成する２本の前記支柱の間を連結して構成されている、
ボトルラック。
【請求項６】
請求項４又は５に記載のボトルラックであって、
前記上段枠体ユニットの上段に、さらに他の前記上段枠体ユニットを１つ又は複数配置して備え、
前記他の上段枠体ユニットの前記各上段枠体を構成する前記各支柱の各他端側の所定箇所を、それぞれ下段側に位置する別の前記上段枠体ユニットの前記各上段枠体を構成する前記各支柱の各一端に近接させた状態で、前記他の上段枠体ユニットの前記各上段枠体を構成する前記各支柱と前記別の上段枠体ユニットの前記各上段枠体を構成する前記各支柱とが相互に回動可能なよう軸支して連結し、
前記他の上段枠体ユニットの前記各上段枠体を構成する前記各支柱の他端に、同一の前記上段枠体を構成する他の前記支柱に向かって突出するボトルを載置可能な他の上段突出部を備えた、
ボトルラック。
【請求項７】
請求項６に記載のボトルラックであって、
１つ又は複数の前記他の上段枠体ユニットを構成する前記各上段枠体がそれぞれ備える前記他の上段突出部は、当該各上段枠体をそれぞれ構成する２本の前記支柱の間を連結して構成されている、
ボトルラック。
【発明の詳細な説明】
【技術分野】
【０００１】
本発明は、ボトルラックにかかり、特に、ウォーターサーバーに装備される飲料水が収容されたボトルを保管するボトルラックに関する。
【背景技術】
【０００２】
近年、飲料水が収容されたボトルから冷水や温水（熱湯）などの飲料水を供給する給水機である、いわゆるウォーターサーバーが普及している。ウォーターサーバーは、通常、上部に飲料水が収容されたボトルを設置するよう構成されており、その中段や下段、つまり、上部に設置されたボトルよりも下方に、当該ボトルから給水された飲料水を注ぐ冷水用注ぎ口及び温水用注ぎ口が設けられている。そして、各注ぎ口から飲料水を注ぐよう構成されており、ボトル内の飲料水が無くなると、飲料水が収容された新たなボトルをウォーターサーバーの上部に設置することで、継続して利用することができる。
【先行技術文献】
【特許文献】
【０００３】
【特許文献１】特開２００８−１８４２２３号公報
【発明の概要】
【発明が解決しようとする課題】
【０００４】
ここで、飲料水は日々使用するものであるため、ボトル内の飲料水が無くなることに備えて、複数のボトルを余分に保管しておく必要がある。ところが、一般的なボトルは円柱形状であり、端面の中心から注ぎ口が突出した形状を有していることから、そのまま積み重ねて保管することが困難である。
【０００５】
ここで、ボトルを積み重ねて保管することに関連する技術として、特許文献１に開示の技術がある。かかる文献に開示されているボトルは、底面に給水口と凹部とを有しており、上面に他のボトルの凹部に挿入される凸部を設けている。これにより、ボトルを積み重ねることを可能としている。
【０００６】
しかしながら、特許文献１に開示の技術では、全てのボトルを上述した特別な形状に形成する必要があり、汎用性が低く、コストがかかる、という問題が生じる。一方で、上述したように、円柱形状であり、端面の中心から注ぎ口が突出した一般的な形状のボトルを積み重ねて、高さ方向の空間を効率よく利用して保管する場合には、当該ボトルの高さを考慮した棚を有する特別な収納家具が必要となり、コストがかかる、という問題が生じる。また、ボトルを保管しない場合には収納家具が邪魔となり、保管場所の有効利用が困難となる、という問題が生じる。
【０００７】
このため、本発明の目的は、上述した課題である、コストがかかるという問題と、ボトルを保管する場所の有効利用を図ることができない、という問題を解決することができるボトルラックを提供することにある。
【課題を解決するための手段】
【０００８】
本発明の一形態であるボトルラックは、
所定の長さを有する２本の支柱が所定の間隔をあけて構成された枠体を一対備え、
一方の前記枠体の前記各支柱と他方の前記枠体の前記各支柱とを、当該各支柱の一端側の所定箇所で相互に近接させた状態で相互に回動可能に軸支し、
前記一方の枠体を構成する前記各支柱と前記他方の枠体を構成する前記各支柱とが相互に所定の角度を有して交差した状態となり、かつ、当該各支柱の他端側が相互に所定の距離だけ離れた状態で固定する固定部材を備え、
前記各枠体を構成する前記各支柱の、当該各支柱の他端から所定の距離だけ離れた当該他端側の所定箇所に、同一の前記枠体を構成する他の前記支柱に向かって突出する突出部を備え、
前記固定部材にて前記各枠体を固定し、当該各枠体を構成する前記各支柱の他端を床面に配置することで、前記各突出部が床面から所定の距離だけ上方に位置し、当該各突出部に所定のボトルを載置可能なよう構成した、
という構成をとる。
【０００９】
そして、本発明のボトルラックは、
前記各枠体は、それぞれ当該枠体を構成する前記２本の支柱の各他端を連結する連結部を備え、
前記固定部材は、前記各枠体を構成する前記各連結部を相互に所定の距離だけ離れた状態で固定するよう構成されている。
【００１０】
また、本発明のボトルラックは、
前記各枠体がそれぞれ備える前記突出部は、前記各枠体をそれぞれ構成する前記２本の支柱の間を連結して構成されている。
【００１１】
本発明のボトルラックは、上述したように構成されることで、固定部材にて一対の枠体を固定することによって、各枠体に形成された各突出部上にボトルを載置して保管することができる。また、ボトルを保管しない場合には、固定部材による固定を解除することで、一対の枠体が回転可能に構成されていることから、ラック自体を折り畳むことができる。このように、簡易な構成によって低コストで、ボトルを保管する場所の有効利用を図ることができるボトルラックを提供することができる。
【００１２】
また、本発明のボトルラックは、
床面に配置された前記一対の枠体がボトルラックの下段枠体ユニットを形成すると共に、当該下段枠体ユニットの上段に配置される上段枠体ユニットを備え、
前記上段枠体ユニットは、２本の支柱が所定の間隔をあけて構成された上段枠体を一対備え、一方の前記上段枠体の前記各支柱と、他方の前記上段枠体の前記各支柱とを、当該各支柱の一端側の所定箇所で相互に近接させた状態で相互に回動可能に軸支し、
前記各上段枠体を構成する前記各支柱の他端側の所定箇所を、それぞれ前記下段枠体ユニットの前記各枠体を構成する前記各支柱の各一端に近接させた状態で、前記上段枠体ユニットの前記各上段枠体を構成する前記各支柱と前記下段枠体ユニットの前記各枠体を構成する前記各支柱とが相互に回動可能なよう軸支して連結し、
前記上段枠体ユニットの前記各上段枠体を構成する前記各支柱の他端に、同一の前記上段枠体を構成する他の前記支柱に向かって突出するボトルを載置可能な上段突出部を備えた、
という構成をとる。
【００１３】
また、本発明のボトルラックは、
前記上段枠体ユニットを構成する前記各上段枠体がそれぞれ備える前記上段突出部は、前記各上段枠体をそれぞれ構成する２本の前記支柱の間を連結して構成されている。
【００１４】
また、本発明のボトルラックは、
前記上段枠体ユニットの上段に、さらに他の前記上段枠体ユニットを１つ又は複数配置して備え、
前記他の上段枠体ユニットの前記各上段枠体を構成する前記各支柱の各他端側の所定箇所を、それぞれ下段側に位置する別の前記上段枠体ユニットの前記各上段枠体を構成する前記各支柱の各一端に近接させた状態で、前記他の上段枠体ユニットの前記各上段枠体を構成する前記各支柱と前記別の上段枠体ユニットの前記各上段枠体を構成する前記各支柱とが相互に回動可能なよう軸支して連結し、
前記他の上段枠体ユニットの前記各上段枠体を構成する前記各支柱の他端に、同一の前記上段枠体を構成する他の前記支柱に向かって突出するボトルを載置可能な他の上段突出部を備えた、
という構成をとる。
【００１５】
また、本発明のボトルラックは、
１つ又は複数の前記他の上段枠体ユニットを構成する前記各上段枠体がそれぞれ備える前記他の上段突出部は、当該各上段枠体をそれぞれ構成する２本の前記支柱の間を連結して構成されている。
【００１６】
本発明のボトルラックは、上述したように構成されることで、固定部材にて下段枠体ユニットの枠体を固定することによって、下段、上段、さらにその上段というように、多段にボトルを載置して保管することができる。また、ボトルを保管しない場合には、固定部材による固定を解除することで、ラック自体を折り畳むことができる。このように、簡易な構成によって低コストで、ボトルを保管する場所の有効利用を図ることができるボトルラックを提供することができる。
【発明の効果】
【００１７】
本発明は、上述した構成をとることにより、簡易な構成によって低コストで製造することができ、ボトルを保管する場所の有効利用を図ることができる。
【図面の簡単な説明】
【００１８】
【図１】本発明であるボトルラックを構成するラック本体の構成を示す図であり、当該ラック本体を折り畳んだときの状態を示す図である。
【図２】図１に開示したラック本体の各構成を示す図である。
【図３】本発明であるボトルラックを構成するストッパの構成を示す図である。
【図４】本発明であるボトルラックを組み立てたときの様子を示す図である。
【図５】本発明であるボトルラックを組み立てたときの様子を示す図である。
【図６】本発明であるボトルラックにボトルを収納したときの様子を示す図である。
【図７】本発明であるボトルラックの変形例を示す図である。
【発明を実施するための形態】
【００１９】
＜実施形態１＞
本発明の実施形態１を、図１乃至図７を参照して説明する。図１乃至図３は、ボトルラックの構成を示す図である。図４乃至図５は、ボトルラックを組み立てたときの様子を示す図である。図６は、組み立てたボトルラックにボトルを収納したときの様子を示す図である。図７は、ボトルラックの変形例を示す図である。
【００２０】
本発明のボトルラックは、図１に示すラック本体１０と、図３に示すストッパ８０と、を備えている。なお、後述するようにラック本体１０を構成する各枠体２０等は、断面が円形状のパイプ部材にて形成されているが、角材や板材など他の形状の部材にて形成されていてもよい。
【００２１】
まず、図１乃至図２を参照して、ラック本体１０の構成について詳述する。図１に示すように、ラック本体１０は、略Ｕ字状、あるいは、略コ字状の複数の枠体２０，３０，４０，５０，６０，７０が、折り畳み可能なよう相互に連結して構成されている。具体的に、ラック本体１０は、まず下段を構成する下段枠体ユニットとして、図２（Ｃ）に示す下段第一枠体２０及び下段第二枠体３０といった一対の枠体を備える。また、ラック本体１０は、中段（下段に対して上段）を構成する中段枠体ユニット（上段枠体ユニット）として、図２（Ｂ）に示す中段第一枠体４０及び中段第二枠体５０といった一対の枠体を備える。さらに、ラック本体１０は、最上段を構成する上段枠体ユニット（他の上段枠体ユニット）として、図２（Ａ）に示す上段第一枠体６０及び上段第二枠体７０といった一対の枠体を備える。
【００２２】
そして、上述した下段枠体ユニットを構成する下段第一枠体２０は、所定の長さを有する２本の支柱２１，２２が所定の間隔をあけて平行に位置しており、当該各２本の支柱２１，２２の各他端（図２（Ｃ）で左側の端部）が、下段連結部２３（連結部）にて相互に連結されて構成されている。この下段連結部２３は、直線状に形成されており、２本の支柱２１，２２の長手方向に対して直角を成している形成されている。なお、２本の支柱２１，２２は、相互に平行に位置していることに限定されず、また、直線状に形成されていることにも限定されない。
【００２３】
また、下段第一枠体２０を構成する２本の支柱２１，２２の他端側には、当該各支柱２１，２２の他端から所定の距離だけ離れた箇所間を連結するよう延びるボトル載置部２４（突出部）が設けられている。このボトル載置部２４は、直線状に形成されており、下段連結部２３と平行に延びている。つまり、ボトル載置部２４は、連結する２本の支柱２１，２２の長手方向に対して直角をなして形成されている。
【００２４】
なお、上記ボトル載置部２４は、必ずしも直線状に形成されていることに限定されない。後述するように、載置されるボトルＢを安定して支持するよう、下段連結部２３方向に向かって凸状に、つまり、内側が凹状に湾曲して形成されていてもよい。また、ボトル載置部２４は、必ずしも２本の支柱２１，２２を連結して形成されていることに限定されない。例えば、ボトル載置部２４は、下側第一枠体２０を構成する一方の支柱２１から他方の支柱２２に向かって突出する部材、及び／又は、他方の支柱２１から一方の支柱２２に向かって突出する部材、により構成されていてもよい。さらに、上記連結部２３は、必ずしも直線状に形成されていることに限定されず、また、必ずしも２本の支柱２１，２２を連結して形成されていることに限定されない。
【００２５】
また、上記下段第一枠体２０と対をなし、下段枠体ユニットを構成する下段第二枠体３０は、下段第一枠体２０とほぼ同一の構成をとる。つまり、下段第二枠体３０は、２本の支柱３１，３２が、他端（図２（Ｃ）で右側の端部）で連結部３３にて連結されて構成されている。さらに、下段第二枠体３０は、各支柱３１，３２の他端側の所定箇所、つまり、支柱３１，３２の他端から所定の距離だけ離れた箇所に、連結部３３に対して平行に延びるボトル載置部３４を備えている。但し、下段第二枠体３０を構成する各支柱３１，３２間の距離は、下段第一枠体２０を構成する各支柱２１，２２間の距離よりも短く形成されている。これにより、図２（Ｃ）に示すように、下段第二枠体３０を構成する各支柱３１，３２は、下段第一枠体２０を構成する各支柱２１，２２の内側に位置して配置されることとなる。なお、ボトル載置部３４は、複数設けられていてもよい。例えば、２本の支柱３１，３２間にボトル載置部３４となる突出部を所定の間隔をあけて複数設けることで、ボトルが落下することを防止することができる。
【００２６】
そして、上述した下段第一枠体２０と下段第二枠体３０とは、相互に回転可能なよう連結されている。具体的には、図２（Ｃ）や図１（Ｂ）に示すように、相互に対応する各支柱、つまり、下段第一枠体２０の符号２１に示す支柱及び下段第二枠体３０の符号３１に示す支柱、また、下段第一枠体２０の符号２２に示す支柱及び下段第二枠体３０の符号３２に示す支柱が、それぞれ相互に近接した状態で軸支される。このとき、各支柱２１，２２，３１，３２の長手方向において中央より一端側（下段第一枠体２０では図２（Ｃ）の右側、下段第二枠体３０では図２（Ｃ）の左側）の所定箇所で、相互に軸支されて連結される。これにより、各支柱２１，２２，３１，３２は、図２（Ｃ）に示すように、ほぼ同一平面上に位置する状態である折り畳まれた状態と、図４に示すように、軸支箇所で相互に所定の角度を成して交差した状態と、になるよう回転可能である。そして、各支柱２１，２２，３１，３２が交差して回転した状態では、図４に示すように、当該各支柱２１，２２，３１，３２の一端及び他端が所定の距離だけ離れた状態となり、後述するように組み立て状態となる。なお、上記下段第一枠体２０と下段第二枠体３０とは、それぞれが外側と内側とに位置するよう構成されている必要はなく、各支柱間が等距離の各枠体２０，３０を用いて下段枠体ユニットを構成してもよい。
【００２７】
次に、上述した中段枠体ユニットについて説明する。図２（Ｂ）に示すように、中段枠体ユニットを構成する中段第一枠体４０は、所定の長さを有する２本の支柱４１，４２が所定の間隔をあけて平行に位置しており、当該各２本の支柱４１，４２の各他端（図２（Ｂ）で左側の端部）が、中段連結部４３（上段突出部）にて相互に連結されて構成されている。この中段連結部４３は、直線状に形成されており、２本の支柱４１，４２の長手方向に対して直角を成している。なお、２本の支柱４１，４２は、相互に平行に位置していることに限定されず、また、直線状に形成されていることにも限定されない。
【００２８】
なお、中段第一枠体４０を構成する各支柱４１，４２は、その長さが下段第一枠体２０を構成する支柱２１，２２よりも短く形成されている。そして、他端側にはボトル載置部２４がなく、中段連結部４３のみが形成されている。なお、この中段連結部４３には、後述するようにボトルが載置される。このため、中段連結部４３は、必ずしも直線状に形成されていることに限定されず、ボトルＢの載置状態が安定するよう、外側に向かって凸状つまり内側が凹状に湾曲して形成されていてもよい。また、中段連結部４３は、必ずしも連結されていることに限定されない。
【００２９】
また、上記中段第一枠体４０と対をなし、中段枠体ユニットを構成する中段第二枠体５０は、中段第一枠体４０とほぼ同一の構成をとる。つまり、中段第二枠体５０は、２本の支柱５１，５２が、他端（図２（Ｂ）で右側の端部）で中段連結部５３（上段突出部）にて連結されて構成されている。但し、中段第二枠体５０を構成する各支柱５１，５２間の距離は、中段第一枠体４０を構成する各支柱４１，４２間の距離よりも短く形成されている。これにより、図２（Ｂ）に示すように、中段第二枠体５０を構成する各支柱５１，５２は、中段第一枠体４０を構成する各支柱４１，４２の内側に位置して配置されることとなる。なお、中段連結部５３は、複数設けられていてもよい。例えば、２本の支柱５１，５２間に中段連結部５３となる突出部を所定の間隔をあけて複数設けることで、ボトルが落下することを防止することができる。
【００３０】
そして、上述した中段第一枠体４０と中段第二枠体５０とは、相互に回転可能なよう連結されている。具体的には、図２（Ｂ）や図１（Ｂ）に示すように、相互に対応する各支柱、つまり、中段第一枠体４０の符号４１に示す支柱及び中段第二枠体５０の符号５１に示す支柱、また、中段第一枠体４０の符号４２に示す支柱及び中段第二枠体５０の符号５２に示す支柱が、それぞれ相互に近接した状態で軸支される。このとき、各支柱４１，４２，５１，５２の長手方向において中央より一端側（中段第一枠体４０では図２（Ｂ）の右側、中段第二枠体５０では図２（Ｂ）の左側）の所定箇所で、相互に軸支されて連結される。これにより、各支柱４１，４２，５１，５２は、図２（Ｂ）に示すように、ほぼ同一平面上に位置する状態である折り畳まれた状態と、図４に示すように、軸支箇所で相互に所定の角度を成して交差した状態と、になるよう回転可能である。そして、各支柱４１，４２，５１，５２が交差して回転した状態では、図４に示すように、当該各支柱４１，４２，５１，５２の一端及び他端が所定の距離だけ離れた状態となり、後述するように組み立て状態となる。なお、中段第一枠体４０と中段第二枠体５０とは、それぞれが外側と内側とに位置するよう構成されている必要はなく、各支柱間が等距離の各枠体４０，５０を用いて中段枠体ユニットを構成してもよい。
【００３１】
そして、上述した下段枠体ユニットと中段枠体ユニットとは、相互に連結して構成されている。具体的には、図１（Ａ）や図４に示すように、下段第一枠体２０及び下段第二枠体３０をそれぞれ構成する各支柱２１，２２，３１，３２の一端に、中段第二枠体５０及び中段第一枠体４０をそれぞれ構成する各支柱５１，５２，４１，４２が、相互に回転可能なよう連結されている。このとき、中段第一枠体４０及び中段第二枠体５０の連結箇所は、当該枠体４０，５０の他端付近、具体的には、各中段連結部４３，５３から所定の距離だけ離れた箇所となる。これにより、図４に示すように、下段枠体ユニットを構成する下段第一枠体２０と下段第二枠体３０とが回転して各支柱が交差した組み立て状態となると、当該各支柱２１，２２，３１，３２の一端側が所定の距離だけ離れた状態となるため、当該各支柱２１，２２，３１，３２に連結している中段第二枠体５０と中段第一枠体４０との各支柱５１，５２，４１，４２も回転して交差した状態となり、当該各支柱５１，５２，４１，４２の一端及び他端も所定の距離だけ離れた組み立て状態となる。
【００３２】
次に、上述した上段枠体ユニットについて説明する。図２（Ａ）に示すように、上段枠体ユニットを構成する上段第一枠体６０は、所定の長さを有する２本の支柱６１，６２が所定の間隔をあけて平行に位置しており、当該各２本の支柱６１，６２の各他端（図２（Ａ）で左側の端部）が、上段連結部６３（他の上段突出部）にて相互に連結されて構成されている。この上段連結部６３は、直線状に形成されており、２本の支柱６１，６２の長手方向に対して直角を成して形成されている。なお、２本の支柱６１，６２は、相互に平行に位置していることに限定されず、また、直線状に形成されていることにも限定されない。
【００３３】
なお、上段第一枠体６０を構成する各支柱６１，６２は、その長さが下段第一枠体２０を構成する支柱２１，２２よりも短く、さらには中段第一枠体４０を構成する支柱４１，４２よりも短く形成されている。そして、他端側にはボトル載置部２４がなく、上段連結部６３のみが形成されている。なお、この上段連結部６３には、後述するようにボトルが載置される。このため、上段連結部６３は、必ずしも直線状に形成されていることに限定されず、ボトルＢの載置状態が安定するよう、外側に向かって凸状つまり内側が凹状となるよう湾曲して形成されていてもよい。また、中段連結部６３は、必ずしも連結されていることに限定されない。
【００３４】
また、上記上段第一枠体６０と対をなし、上段枠体ユニットを構成する上段第二枠体７０は、上段第一枠体６０とほぼ同一の構成をとる。つまり、上段第二枠体７０は、２本の支柱７１，７２が、他端（図２（Ａ）で右側の端部）で上段連結部７３（他の上段突出部）にて連結されて構成されている。但し、上段第二枠体７０を構成する各支柱７１，７２間の距離は、上段第一枠体６０を構成する各支柱６１，６２間の距離よりも短く形成されている。これにより、図２（Ａ）に示すように、上段第二枠体７０を構成する各支柱７１，７２は、上段第一枠体６０を構成する各支柱６１，６２の内側に位置して配置されることとなる。なお、上段連結部７３は、複数設けられていてもよい。例えば、２本の支柱７１，７２間に上段連結部７３となる突出部を所定の間隔をあけて複数設けることで、ボトルが落下することを防止することができる。
【００３５】
そして、上述した上段第一枠体６０と上段第二枠体７０とは、相互に回転可能なよう連結されている。具体的には、図２（Ａ）や図１（Ｂ）に示すように、相互に対応する各支柱、つまり、上段第一枠体６０の符号６１に示す支柱及び上段第二枠体７０の符号７１に示す支柱、また、上段第一枠体６０の符号６２に示す支柱及び上段第二枠体７０の符号７２に示す支柱が、それぞれ相互に近接した状態で軸支される。このとき、各支柱６１，６２，７１，７２の一端（上段第一枠体６０では図２（Ａ）の右側、上段第二枠体７０では図２（Ａ）の左側）で、相互に軸支されて連結される。これにより、各支柱６１，６２，７１，７２は、図２（Ａ）に示すように、ほぼ同一平面上に位置する状態である折り畳まれた状態と、図４に示すように、軸支箇所で相互に所定の角度を成して交差した状態と、になるよう回転可能である。そして、各支柱６１，６２，７１，７２が交差して回転した状態では、図４に示すように、当該各支柱６１，６２，７１，７２の他端が所定の距離だけ離れた組み立て状態となる。なお、上段第一枠体６０と上段第二枠体７０とは、それぞれが外側と内側とに位置するよう構成されている必要はなく、各支柱間が等距離の各枠体６０，７０を用いて上段枠体ユニットを構成してもよい。
【００３６】
そして、上述した中段枠体ユニットと上段枠体ユニットとは、相互に連結して構成されている。具体的には、図１（Ａ）や図４に示すように、中段第一枠体４０及び中段第二枠体５０をそれぞれ構成する各支柱４１，４２，５１，５２の一端に、上段第二枠体７０及び上段第一枠体６０をそれぞれ構成する各支柱７１，７２，６１，６２が、相互に回転可能なよう連結されている。このとき、上段第一枠体６０及び上段第二枠体７０の連結箇所は、当該枠体６０，７０の他端付近、つまり、各上段連結部６３，７３から所定の距離だけ離れた箇所となる。これにより、図４に示すように、下段枠体ユニットを構成する下段第一枠体２０と下段第二枠体３０とが回転して組み立て状態となると、各支柱４１，４２，５１，５２の一端側が所定の距離だけ離れた状態となるため、当該各支柱４１，４２，５１，５２に連結している上段第二枠体７０と上段第一枠体６０との各支柱７１，７２，６１，６２が回転して交差した状態となり、当該各支柱７１，７２，６１，６２の他端が所定の距離だけ離れた組み立て状態となる。
【００３７】
続いて、図３を参照して、ストッパ８０（固定部材）の構成を説明する。図３（Ａ）は、ストッパ８０の上面図であり、図３（Ｂ）は側面図、図３（Ｃ）は底面図である。ストッパ８０は、本体８１が所定の幅及び長さを有する平板状部材にて構成されている。そして、ストッパ本体８１の長手方向の両端には、それぞれストッパ本体８１の両端部分自体が略Ｕ字状に折り返されて形成された係止部８２，８３を有している。各係止部８２，８３は、上述した下段第一枠体２０と下段第二枠体３０とにそれぞれ形成された連結部２３，３３が、折り返し箇所の内部に挿入可能なよう形成されている。
【００３８】
次に、上述した構成のボトルラックを組み立てたときの様子を、図１，４，５，６を参照して説明する。まず、ボトルラックを使用しないときは、図１に示すように、ラック本体１０を構成する各枠体２０，３０，４０，５０，６０，７０が折り畳まれた状態、つまり、各枠体ユニットがほぼ平面上に位置するようにする。これにより、ボトルラック自体の大きさを小さくすることができ、当該ラック自体を容易に収納することができる。
【００３９】
そして、ボトルラックを使用する際には、まず、図１の状態のラック本体１０の上段に位置する上段第一枠体６０及び上段第二枠体７０を上方に引き上げる。すると、図４に示すように、各支柱が交差した状態となり、各枠体ユニットに設けられた各連結部２３，３３等が、相互に所定の間隔を有して位置した組み立て状態となる。
【００４０】
具体的には、まず、下段枠体ユニットでは、下段第一枠体２０と下段第二枠体３０とをそれぞれ構成する各支柱が交差して回転した状態となると、当該各支柱２１，２２，３１，３２の他端つまり各連結部２３，３３間が所定の間隔を有して開いた状態となる。このとき、図４に示すように、各連結部２３，３３をストッパ８０の両端に形成された各係止部８２，８３の内部に挿入することで、当該各連結部２３，３３の位置を固定することができる。かかる状態で、下段第一枠体２０と下段第二枠体３０との各連結部２３，３３を床面に配置する。すると、下段第一枠体２０と下段第二枠体３０とをそれぞれ構成する各支柱を連結するボトル載置部２４，３４が、床面から所定の距離だけ上方に位置することとなる。
【００４１】
そして、上述したように、下段第一枠体２０と下段第二枠体３０との各連結部２３，３３の位置が固定された状態では、下段第一枠体２０と下段第二枠体３０との各支柱の一端（上方側の端部）の位置も固定されるため、当該各支柱に連結している中段第二枠体５０と中段第一枠体４０との各支柱の回転角度も固定される。すると、中段第二枠体５０と中段第一枠体４０との各支柱の下方側に位置する各他端を連結する各中段連結部４３，５３間が所定の距離だけ離れた組み立て状態で固定される。これにより、各中段連結部４３，５３が、上述したボトル載置部２４，３４の位置よりも上方に位置することとなる。
【００４２】
さらに、上述したように、中段第一枠体４０と中段第二枠体５０との各連結部４３，５３の位置が固定された状態では、中段第一枠体４０と中段第二枠体５０との各支柱の一端（上方側の端部）の位置も固定されるため、当該各支柱に連結している上段第二枠体７０と上段第一枠体６０との各支柱の回転角度も固定される。すると、上段第二枠体７０と上段第一枠体６０との各支柱の下方側に位置する各他端を連結する各上段連結部６３，７３間が所定の距離だけ離れた組み立て状態で固定される。これにより、各上段連結部６３，７３が、上述したボトル載置部４４，５４の位置よりも上方に位置することとなる。
【００４３】
以上のようにボトルラックを組み立てることで、図４及び図５に示すように、ボトル載置部２４，３４、中段連結部４３，５３、上段連結部６３，７３の順に、下方から上方にかけてボトルを載置する段が形成されることとなる。そして、ボトル載置部２４，３４、中段連結部４３，５３、上段連結部６３，７３は、それぞれ所定の間隔をあけて固定されているため、これらの間に、それぞれ図６に示すようにボトルＢを斜めにして載置することができる。具体的には、各ボトルＢの底面と側面とを、対となるボトル載置部２４，３４、中段連結部４３，５３、上段連結部６３，７３にそれぞれ載置する。すると、図６の例では、３段にボトルＢを積み重ねて保管することができる。
【００４４】
なお、上述した例では、１段に１つのボトルＢしか載置していないが、上述した各枠体を構成する各支柱間の距離、つまり、各連結部やボトル載置部の長さを長く形成することで、１段に複数のボトルＢを載置することができる。また、ボトルラック自体は３段であることに限定されず、１段、２段、あるいは、４段以上に構成してもよい。
【００４５】
また、ラック本体１０を固定するストッパ８０は、上述したように、下段に位置する各連結部間を固定する構造のものに限定されない。例えば、いずれかの枠体ユニットを構成する支柱の交差角度を固定する構造のものでもよい。いずれにしても、ストッパ８０は、ボトル載置部２４，３４、中段連結部４３，５３、上段連結部６３，７３を所定の間隔で固定できる構造であればよい。
【００４６】
ここで、上述したボトルラックの変形例を、図７を参照して説明する。この図に示すように、ラック本体１０を構成する下段枠体ユニットの各支柱に、所定の間隔をあけて２本の帯９１，９２を設ける。そして、各帯９１，９２に腕を通して当該帯９１，９２を肩にかけることで、ボトルラックを背負うことができる。これにより、ボトルを配送する者は、ボトルラックにボトルを載置した状態で背負って運ぶことができる。なお、図７の例では、帯９１，９２を下段枠体ユニットを構成する支柱に設けたが、他の枠体ユニットに設けてもよい。また、ボトルラックを背負うために設けるものは帯９１，９２であることに限定されず、ボトルラックに固定され、当該ラックを背負うことが可能な部材であれば、いかなる部材を設けてもよい。
【００４７】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００４８】
１０  ラック本体
２０  下段第一枠体
３０  下段第二枠体
２１，２２，３１，３２  支柱
２３，３３  連結部
２４，３４  ボトル載置部
４０  中段第一枠体
５０  中段第二枠体
４１，４２，５１，５２  支柱
４３，５３  中段連結部
６０  中段第一枠体
７０  中段第二枠体
６１，６２，７１，７２  支柱
６３，７３  中段連結部
８０  ストッパ
８１  ストッパ本体
８２，８３  係止部
【図１】
2016047072.tif 000003
【図２】
2016047072.tif 000004
【図３】
2016047072.tif 000005
【図４】
2016047072.tif 000006
【図５】
2016047072.tif 000007
【図６】
2016047072.tif 000008
【図７】
2016047072.tif 000009